(57)【特許請求の範囲】
【請求項１】
打球供給皿の球皿の底部または該打球供給皿に貯留されるパチンコ球を打球供給装置に導く球通路の底部に球抜口を開設したパチンコ機において、前記球抜口を開閉するための球抜装置であって、一側部を軸支され上下方向に回動自在に設けられた操作摘みと、横方向へ摺動自在に設けられかつスプリング等により常時前記球抜口を閉塞する位置に付勢される球抜部材と、上端部を軸支されると共に下端部に前記球抜部材と係合する係合部を設けた作動リンクとからなり、
前記操作摘みの下面を下方へ弧状に突出する膨出面とし、前記膨出面は前記球抜部材が前記球抜口を閉塞したとき前記操作摘みと前記作動リンクとの各軸支部間であって該作動リンクの中央より下端部側の上面に接触するようにし、前記操作摘みの押圧により前記作動リンクを押して回動させることにより、前記操作摘みが惰性を伴って回動し該操作摘みと前記作動リンクとの接触点が該作動リンクの軸支部側に移動し、前記球抜部材を前記球抜口が開放される位置に摺動させるようにしたことを特徴とするパチンコ機における球抜装置。
【請求項２】
打球供給皿の球皿の底部または該打球供給皿に貯留されるパチンコ球を打球供給装置に導く球通路の底部に球抜口を開設したパチンコ機において、前記球抜口を開閉するための球抜装置であって、一側部を軸支され上下方向に回動自在に設けられた操作摘みと、横方向へ摺動自在に設けられかつスプリング等により常時前記球抜口を閉塞する位置に付勢される球抜部材と、上端部を軸支されると共に下端部に前記球抜部材と係合する係合部を設けた作動リンクとからなり、
前記作動リンクの上面を上方へ弧状に突出する膨出面とし、前記膨出面は前記球抜部材が前記球抜口を閉塞したとき前記操作摘みと前記作動リンクとの各軸支部間であって該作動リンクの中央より下端部側の上面で前記操作摘みの下面に接触するようにし、前記操作摘みの押圧により前記作動リンクを押して回動させることにより、前記操作摘みが惰性を伴って回動し該操作摘みと前記作動リンクとの接触点が該作動リンクの軸支部側に移動し、前記球抜部材を前記球抜口が開放される位置に摺動させるようにしたことを特徴とするパチンコ機における球抜装置。
【発明の詳細な説明】
【０００１】
【発明の属する技術分野】
本発明は打球供給皿の球皿の底部または該打球供給皿に貯留されるパチンコ球を発射レールの発射位置へ１個ずつ供給する打球供給装置に導く球通路の底部に球抜口を開設したパチンコ機において、該球抜口を開閉するための球抜装置に関するものである。
【０００２】
【従来の技術】
従来、この種球抜装置として例えば実公平４−２１５７２号公報に開示されるものが有る。該装置は図６に示されるように、打球供給皿１００の皿部１０１の底部１０２に球抜口１０３が形成されており、打球供給皿１００の上面開口１０４に操作摘み１０５が上下方向に回動自在に設けられている。また、打球供給皿１００内には横方向へ摺動自在に設けられかつスプリング１０６により常時球抜口１０３を閉塞する位置に付勢される球抜部材１０７と前記操作摘み１０５の下面に接触する横向きの腕１０８を一体に備えかつ下端の係合ピン１０９を球抜部材１０７に係合させたＬ字形の作動リンク１１０を揺動自在に軸支して構成されている。
そして、操作摘み１０５の押圧により腕１０８を押し下げて作動リンク１１０を回動させることにより球抜部材１０７を球抜口１０３が開放する位置に摺動させるようにしている。
【０００３】
【発明が解決しようとする課題】
上記球抜装置にあっては、特に腕１０８の寸法に対し作動リンク１１０の垂直高さを長くすることにより、操作摘み１０５の僅かな回動ストロークで球抜部材１０７の摺動ストロークを増大させるようにして球抜き操作が楽に行なえるようにしようとするものである。しかし、操作摘み１０５を押圧する位置のほぼ真下に腕１０８が配置され、しかも該腕１０８は操作摘み１０５の押圧によりほぼ真下に移動するにすぎない。よって操作摘み１０５の回動ストロークが僅かで済むもののモーメントの関係によりその分始めから大きな押圧力を必要とするので、操作摘み１０５を強く押さねばならず、か弱い女性客などにとっては操作しずらいという課題が有った。
【０００４】
そこで、本発明は上記課題を解決すべくなされたもので、操作摘みを軽く押圧するのみで球抜操作が楽に行なえるようにしたパチンコ機における球抜装置を提供することを目的とするものである。
【０００５】
【課題を解決するための手段】
かかる目的を達成するため、本発明に係るパチンコ機における球抜装置は、打球供給皿の球皿の底部または該打球供給皿に貯留されるパチンコ球を発射レールの発射位置へ１個ずつ供給する打球供給装置に導く球通路の底部に球抜口を開設したパチンコ機において、該球抜口を開閉するための球抜装置であって、一側部を軸支され上下方向に回動自在に設けられた操作摘みと、横方向へ摺動自在に設けられかつスプリング等により常時球抜口を閉塞する位置に付勢される球抜部材と、上端部を軸支されると共に下端部に球抜部材と係合する係合部を設けた作動リンクとからなる。そして、前記操作摘みの下面を下方へ弧状に突出する膨出面とし、該膨出面は球抜部材が球抜口を閉塞したとき操作摘みと作動リンクとの各軸支部間であって作動リンクの中央より下端部側の上面に接触するようにした。
【０００６】
そこで、操作摘みを押圧するとき、該操作摘み下面の膨出面と作動リンクとの接触点が作動リンクの中央より下端部側の上面に位置しているので、モーメントの関係から始めの押圧力が小さくて済む。そして、その押圧動作と共に前記操作摘みが惰性を伴って回動し前記接触点が作動リンクの軸支部側へ移動し、同時に作動リンクを押して球抜部材を球抜口が開放される位置に摺動させる。この際、接触点が作動リンクの軸支部に近づき本来大きな押圧力が要るところ、それまでの惰性が加わるので、押圧動作がスムーズとなり、その操作が楽に行なえることとなる。また、前記操作摘みの下面を膨出面としたが、作動リンクの上面を上方へ弧状に突出する膨出面としても良い。
【０００７】
【発明の実施の形態】
以下、本発明に係るパチンコ機における球抜装置の実施の形態を図面を参照して説明する。図１は本発明が適用されるパチンコ機の正面図、図２はガラス扉枠及び前面板を開放した状態のパチンコ機の下部部分の斜視図である。図において、１はパチンコ機の前面枠、２は該前面枠１の後側に着脱自在に装着される遊技盤であって、該遊技盤２の右下側に発射レール３が装着されている。４は発射レール３の発射位置５に先端が臨む打球杆、６は発射レール３の前面を覆う前面板であって、遊技盤２の前面を覆うガラス扉枠７と共に前面枠１の窓孔８の一側に開閉自在に装着される。前記前面板６の前面に、景品球払出装置（図示せず。）から払い出されたパチンコ球を貯留し、そのパチンコ球を後述する打球供給装置３４に供給する打球供給皿９が装着されている。また、前記前面枠１の下部前面には打球供給皿９に充満してオーバーフローするパチンコ球を貯留する余剰球受皿１０及び発射位置５から発射されるパチンコ球の弾発力を調節する操作ハンドル１１が設けられている。
【０００８】
前記打球供給皿９は、図３に示されるように本体部１２と該本体部１２の前面外側を覆うカバー部材１３とから構成されている。本体部１２はパチンコ球を貯留する球皿１４と、該球皿１４の上縁部分を囲う飾板部１５及び球皿１４の下方に延出する側板部１６とを有する。前記球皿１４は底部が一方に緩やかに下り傾斜し、その傾斜下部にパチンコ球が一列に整列されて流下する整流部１７が形成されている。この整流部１７の下流端が位置する前面板６には球皿１４のパチンコ球を前面板６の裏側に流出させる球出口１８が開設されている。
【０００９】
１９は側板部１６に突設される平行なリブ２０，２０により横方向へ摺動案内される球抜部材であり、該球抜部材１９はその先端に前記球抜口２１を開閉する球抜板部１９ａを一体に備え、図４実線に示されるようにスプリング２２により常時球抜口２１を閉塞する位置に付勢される。また、球抜部材１９には一側にピン２３が突設されている。２４は側板部１６の前面に上端部で揺動自在に軸支２９される作動リンクであり、その下端部に球抜部材１９のピン２３と係合する二又状の係合部２５が設けられる。
【００１０】
２６は一側部が側板部１６の前面に軸支３０され上下方向に回動自在に設けられた操作摘みであり、他側部の操作部２６ａが飾板部１５上面の開口２７から上方へ突出している。また、操作摘み２６下面は下方へ弧状に突出する膨出面２８に形成され、操作摘み２６と作動リンク２４との各軸支部２９，３０間であって作動リンク２４の中央より下端側の上面２４ａに接触して操作摘み２６が保持されている。
【００１１】
３１は球抜口２１より下方に延設される球抜通路であり、下端位置で前面板６に開設された通口３２を介して球抜きシュート３３と連通し、球抜通路３１を流下するパチンコ球を球抜きシュート３３を介して余剰球受皿１０に導くようにしている。また、前記前面板６の裏面には球出口１８から流入するパチンコ球を１個ずつ発射レール３の発射位置５へ供給する打球供給装置３４が組み込まれたケース体３５が装着されている。
【００１２】
次にこのように構成したパチンコ機の作用を説明する。常態では、スプリング２２の付勢により球抜板部１９ａが球抜口２１を閉塞しており、打球供給皿９のパチンコ球が打球供給装置３４に導かれ発射レール３の発射位置５に１個ずつ供給される。一方、打球供給皿９のパチンコ球を余剰球受皿１０に抜き取るには、図４鎖線に示されるように操作摘み２６の操作部２６ａを下方へ押圧し、下面の膨出面２８によって作動リンク２４をスプリング２２の付勢に抗して回動させる。これによって、球抜部材１９がほぼ水平に摺動し球抜口２１を開放する。
【００１３】
そこで、操作摘み２６を押圧するとき該操作摘み２６下面の膨出面２８と作動リンク２４の上面２４ａとの接触点Ｍは、あらかじめ図４実線に示されるように作動リンク２４の中央より下端部側に位置しているので、作動リンク２４の軸支部２９と接触点Ｍ，操作摘み２６の軸支部３０と接触点Ｍ及び操作部２６ａの押圧位置Ｐまでの距離によるモーメントの関係から、操作部２６ａを押圧する始めの力が小さくて済む。
【００１４】
そして、その押圧動作に伴い操作摘み２６が下向回動し、同時に作動リンク２４が押されて球抜部材１９の球抜板部１９ａが球抜口２１を開放する側に摺動する。この際、接触点Ｍが作動リンク２４の軸支部２９側に移動し、かつ操作摘み２６が作動リンク２４の上面２４ａを転がるようにして押圧するので、接触点Ｍが作動リンク２４の軸支部２９に近づくと、本来大きな押圧力が要るところ、それまでの惰性が加わっているので、その押圧動作がスムーズとなり、その操作が極めて楽に行なえることとなる。
【００１５】
このようにして、球抜口２１が開放されることにより打球供給皿９に貯留されるパチンコ球は図５に示されるように球抜口２１を介してすべて余剰球受皿１０に抜きとられる。また、抜き取られた後は、操作摘み２６の押圧を止め開放させると、スプリング２２の復元力により球抜部材１９が元の位置に摺動し、その球抜板部１９ａが球抜口２１を閉塞する。そして、操作摘み２６及び作動リンク２４はいずれも図４実線位置に戻る。
【００１６】
なお、本発明は、球抜口２１が打球供給皿９の整流部１７の底部に設けたパチンコ機について説明したが、前面板６裏側のケース体３５内に設けたパチンコ機についても適用できること勿論である。また、前記操作摘みの下面を膨出面としたが、作動リンクの上面を上方へ弧状に突出する膨出面としても良い。
【００１７】
【発明の効果】
以上述べたように、本発明に係るパチンコ機における球抜装置は操作摘みの下面を下方へ弧状に突出する膨出面とし、該膨出面は球抜部材が球抜口を閉塞したとき操作摘みと作動リンクとの各軸支部間であって作動リンクの中央より下端部側の上面に接触するようにし、または作動リンクの上面を上方へ弧状に突出する膨出面とし、該膨出面は球抜部材が球抜口を閉塞したとき操作摘みと作動リンクとの各軸支部間であって該作動リンクの中央より下端部側の上面で操作摘みの下面に接触するようにしたものであるから、操作摘みを押圧するときモーメントの関係から始めの押圧力が小さくて済み、更にその惰性でもつて押圧できるので、押圧動作がスムーズとなり、か弱い女性でも球抜操作が極めて楽に行なえるという効果を有する。
【図面の簡単な説明】
【図１】本発明が適用されるパチンコ機の正面図。
【図２】ガラス扉枠及び前面板を開放した状態のパチンコ機の下部部分の斜視図。
【図３】打球供給皿部分の分解斜視図。
【図４】球抜装置部分の正面断面図。
【図５】打球供給皿と余剰球受皿との関連構成を示す側面断面図。
【図６】従来の球抜装置部分の正面断面図。
【符号の説明】
３              発射レール
５              発射位置
９              打球供給皿
１４            球皿
１９            球抜部材
２１            球抜口
２２            スプリング
２４            作動リンク
２５            係合部
２６            操作摘み
２８            膨出面
２９，３０      軸支部
３４            打球供給装置
【図１】
0003794767.tif 000002
【図２】
0003794767.tif 000003
【図３】
0003794767.tif 000004
【図４】
0003794767.tif 000005
【図５】
0003794767.tif 000006
【図６】
0003794767.tif 000007